(57)【要約】【課題】連続した立ち上がり部１ａを有する基礎１を備えた建物の基礎構造の構築方法において、小型の建設機械で容易に構築することができ、高い支持力が得られる建物の基礎構造の構築方法を提供する。【解決手段】構築すべき基礎１の主要部の位置に沿って地盤４を掘り下げ、逆四角錐台形状の溝を形成し、該溝内にコンクリートを流し込んで土中支持部２を構築し、構築した土中支持部２上に前記基礎１を構築する。これにより、土中支持部２の下向きの傾斜面である端面壁２ａによって地盤４との大きな摩擦力を得、高い支持力が得られるようにする。【選択図】図４
2013213343.tif 000002
【特許請求の範囲】
【請求項１】
連続した立ち上がり部を有する基礎を備えた建物の基礎構造の構築方法において、
構築すべき前記基礎の主要部の位置に沿って地盤を掘り下げ、逆四角錐台形状の溝を形成し、該溝内にコンクリートを流し込んで土中支持部を構築し、構築した土中支持部上に前記基礎を構築することを特徴とする建物の基礎構造の構築方法。
【請求項２】
前記溝内に配筋した後にコンクリートを流し込むことを特徴とする請求項１に記載の建物の基礎構造の構築方法。
【請求項３】
連続した立ち上がり部を有する基礎を備えた建物の基礎構造の構築方法において、
構築すべき前記基礎の主要部の位置に沿って地盤を掘り下げ、逆四角錐台形状の溝を形成し、該溝の形状に対応する形状のプレキャストコンクリート製品である土中支持部を前記溝内に設置し、設置した土中支持部上に前記基礎を構築することを特徴とする建物の基礎構造の構築方法。
【請求項４】
前記溝が、上面が長方形をなし、該長方形の短辺側の側壁である端面壁が上向きの傾斜面、前記長方形の長辺側の側壁である側面壁が垂直面となった逆四角錐台形状で、しかもこの形状の溝を、前記短辺の長さに対応する幅のバケットを付けたパワーショベルで掘削することを特徴とする請求項１〜３のいずれか一項に記載の建物の基礎構造の構築方法。
【請求項５】
相隣接する溝を、前記側面壁の方向が互いに直交する方向となるように形成することを特徴とする請求項４に記載の建物の基礎構造の構築方法。
【請求項６】
連続した立ち上がり部を有する基礎を備えた建物の基礎構造において、
前記基礎の主要部の下側の地盤中に逆四角錐台形状の土中支持部が埋設されていると共に、
該土中支持部が、上面が長方形をなし、該長方形の短辺側の側壁である端面壁が下向きの傾斜面、前記長方形の長辺側の側壁である側面壁が垂直面となった逆四角錐台形状をなし、
しかも相隣接する土中支持部が、前記側面壁の方向を互いに直交する方向に向けて配置されていることを特徴とする建物の基礎構造。
【発明の詳細な説明】
【技術分野】
【０００１】
本発明は、特に軟弱地盤上に建物を建設するのに適した建物の基礎構造の構築方法及びこの方法で得られる建物の基礎構造に関する。
【背景技術】
【０００２】
従来、軟弱地盤上に建物を建設する際に基礎の支持力を高める手段として、地盤への杭の打ち込みが知られている(例えば、特許文献１参照)。
【先行技術文献】
【特許文献】
【０００３】
【特許文献１】特開２０００−２０４５６７号公報
【発明の概要】
【発明が解決しようとする課題】
【０００４】
しかしながら、杭の場合、地盤との間にさほど大きな摩擦抵抗が得られないので、軟弱地盤中に打ち込んだだけでは十分な支持力が得られない。このため、軟弱地盤の下にある強固地盤まで打ち込んでおくことが必要となるが、深く打ち込まなくてはならない場合、長尺な杭と大型の建設機械が必要となり、費用がかかると共に、工期も長くなりやすい問題がある。
【０００５】
本発明は、上記従来の問題点に鑑みてなされたもので、小型の建設機械で容易に構築することができ、高い支持力が得られる建物の基礎構造の構築方法及びこの方法によって得られる建物の基礎構造を提供することを目的とする。
【課題を解決するための手段】
【０００６】
上記目的のために、本発明の第１は、連続した立ち上がり部を有する基礎を備えた建物の基礎構造の構築方法において、
構築すべき前記基礎の主要部の位置に沿って地盤を掘り下げ、逆四角錐台形状の溝を形成し、該溝内にコンクリートを流し込んで土中支持部を構築し、構築した土中支持部上に前記基礎を構築することを特徴とする建物の基礎構造の構築方法を提供するものである。
【０００７】
上記本発明の第１は、前記溝内に配筋した後にコンクリートを流し込むことを好ましい態様として含む。
【０００８】
本発明の第２は、連続した立ち上がり部を有する基礎を備えた建物の基礎構造の構築方法において、
構築すべき前記基礎の主要部の位置に沿って地盤を掘り下げ、逆四角錐台形状の溝を形成し、該溝の形状に対応する形状のプレキャストコンクリート製品である土中支持部を前記溝内に設置し、設置した土中支持部上に前記基礎を構築することを特徴とする建物の基礎構造の構築方法を提供するものである。
【０００９】
本発明の第１及び第２は、それぞれ、前記溝が、上面が長方形をなし、該長方形の短辺側の側壁である端面壁が上向きの傾斜面、前記長方形の長辺側の側壁である側面壁が垂直面となった逆四角錐台形状で、しかもこの形状の溝を、前記短辺の長さに対応する幅のバケットを付けたパワーショベルで掘削すること、
相隣接する溝を、前記側面壁の方向が互いに直交する方向となるように形成すること、
を好ましい態様として含むものである。
【００１０】
本発明の第３は、連続した立ち上がり部を有する基礎を備えた建物の基礎構造において、
前記基礎の主要部の下側の地盤中に逆四角錐台形状の土中支持部が埋設されていると共に、
該土中支持部が、上面が長方形をなし、該長方形の短辺側の側壁である端面壁が下向きの傾斜面、前記長方形の長辺側の側壁である側面壁が垂直面となった逆四角錐台形状をなし、
しかも相隣接する土中支持部が、前記側面壁の方向を互いに直交する方向に向けて配置されていることを特徴とする建物の基礎構造を提供するものである。
【発明の効果】
【００１１】
本発明の第１及び第２で構築する土中支持部は、下向きの傾斜面を有する逆四角錐台形状をなしていることから、上方から荷重が加わると地盤との間に大きな摩擦力が作用する。従って、軟弱地盤中に形成した溝にコンクリートを流し込んで形成した土中支持部であっても、同様の溝内に投入設置したプレキャストコンクリート製の土中支持部であっても、上方からの荷重に対して大きな支持力を発揮するので、この土中支持部上に基礎を構築することで、建物の沈下を防止することができる。
【００１２】
本発明第１及び第２で構築する土中支持部は、上記のように下向きの傾斜面を有することで、軟弱地盤に対しても大きな支持力を発揮する。このため、コンクリートを流し込んでこの土中支持部を構築するための型を兼ねる溝又はプレキャストコンクリート製の土中支持部を埋設するための溝は、強固地盤まで掘り下げる必要がない。しかも基礎の主要部の位置に形成すれば足り、長尺の溝を設ける必要がないので、小型のパワーショベル、場合によっては人手によってでも容易に溝を形成して土中支持部を設置することができ、工事費用の削減、工期の短縮が可能である。
【００１３】
本発明の第１のように、逆四角錐台形状の溝にコンクリートを流し込んで土中支持部を形成すると、溝の大きさや形状を現場で自由に調整できる。また、本発明の第２のように、逆四角錐台形状の溝にプレキャストコンクリート製の土中支持部を設置すると、コンクリートの養生時間をとることなく工事を進めることができる。
【００１４】
本発明の第１において、逆四角錐台形状の溝にコンクリートを流し込んで土中支持部を形成するに際し、溝内に配筋してからコンクリートを流し込むと、より強固な土中支持部を形成することができる。
【００１５】
本発明の第１又は第２において、溝の形状を、上面が長方形をなし、この長方形の短辺側の壁面である端面壁が上向きの傾斜面、前記長方形の長辺側の壁面である側面壁が垂直面となった逆四角錐台形状とし、しかもこの形状の溝を、前記短辺の長さに対応する幅のバケットを付けたパワーショベルで掘ることが好ましい。このようにすると、両端面壁を上向きの傾斜面となるように掘るだけで必要な形状の溝を形成でき、溝の掘削作業が極めて容易となる。
【００１６】
本発明の第１又は第２において、上記形状の溝であって、相隣接する溝を、前記側面壁の方向が互いに直交する方向となるように形成することが好ましい。このようにすると、コンクリートの流し込みで土中支持部を形成する場合でも、プレキャストコンクリート製品の土中支持部を埋設する場合でも、土中支持部を、その下向きの傾斜面の向きを交互に変えて位置させることができ、例えば、地震が発生した場合、どの方向からの揺れに対しても大きな偏りなく支持力を発揮させることができる。
【００１７】
更に、本発明の第３に係る建物の基礎構造は、上記本発明の第１又は第２によって容易に構築することができると共に、上述したように、高い支持力を偏りなく発揮できるものである。
【図面の簡単な説明】
【００１８】
【図１】本発明に係る建物の基礎構造の一例を示す平面図である。
【図２】本発明に係る建物の基礎構造の一例を示す断面図で、（ａ）は図１におけるＡ−Ａ断面図、（ｂ）は図１におけるＢ−Ｂ断面図である。
【図３】好ましい土中支持部の形状の説明図である。
【図４】本発明に係る建物の基礎構造の他の例を示す断面図で、（ａ）は図１におけるＡ−Ａに対応する位置での断面図、（ｂ）図１におけるはＢ−Ｂに対応する位置での断面図である。
【図５】本発明に係る建物の基礎構造の構築方法での溝の掘削状態を示す断面図で、（ａ）は図１におけるＡ−Ａに対応する位置での断面図、（ｂ）は図１におけるＢ−Ｂに対応する位置での断面図である。
【図６】本発明に係る建物の基礎構造の構築方法での土中支持部の地盤中への設置状態を示す断面図で、（ａ）は図１におけるＡ−Ａに対応する位置での断面図、（ｂ）は図１におけるＢ−Ｂに対応する位置での断面図である。
【図７】本発明に係る建物の基礎構造の構築方法での土中支持部上へ覆土した状態を示す断面図で、（ａ）は図１におけるＡ−Ａに対応する位置での断面図、（ｂ）は図１におけるＢ−Ｂに対応する位置での断面図である。
【発明を実施するための形態】
【００１９】
以下、図面に基づいて本発明を説明する。なお、以下に参照する図面において、同じ符号は同様の構成要素を示す。
【００２０】
図１及び図２に示されるように、本発明に係る建物の基礎構造において、基礎１は、平面方向に連続した立ち上がり部１ａを有するもので、このような基礎１の主要部の位置に沿って、基礎１の下側に土中支持部２が設置されている。下側に土中支持部２を構築すべき基礎１の主要部の位置としては、連続する立ち上がり部１ａのコーナー部及び立ち上がり部１ａの交差部を挙げることができる。また、この主要部として、隣接する土中支持部２間の間隔が大きく開く場合の中間部を含めることができる。なお、本例における基礎１は、図２に示されるように、連続する立ち上がり部１ａの下部にフーチィング１ｂを有する布基礎であるが、周囲の立ち上がり部１ａで囲まれた領域全体に底板を形成したベタ基礎とすることもできる。
【００２１】
土中支持部２は、逆四角錐台形状をなしている。本例の土中支持部２は、特に図３に明示されるように、上面が長方形、下面が長方形又は正方形で、上面の短辺側の壁面である端面壁２ａが下向きの傾斜面となっており、上面の長辺側の壁面である側面壁２ｂが垂直面となっている。土中支持部２は、後述するように、対応する形状の溝３(図５参照)を掘削し、この溝３を型枠代わりにしてコンクリートを流し込むことや、プレキャストコンクリート製品として予め形成されたものを溝３内に投入することで設置される。上記のような形状の土中支持部２とすると、後述するように、上記溝３を必要な形状と大きさで地盤４に掘削するのが容易となる。また、各土中支持部２は、立ち上がり部１ａの下側に構築されているが、特に図１に示されるように、互いに隣接する土中支持部２が、側面壁２ｂの方向を互いに直交する方向に向けて配置されていることが好ましい。このような配置とすると、例えば地震が発生した場合に、いずれの方向の揺れに対しても大きな偏りなく支持力を発揮させることができる。
【００２２】
本例における基礎１は、図２に示されるように、地盤４中に構築された土中支持部２上に覆土５を施し、その上に形成されている。更に具体的には、土中支持部２の構築後、土中支持部２を覆土５で覆い、この覆土５の上に型枠(図示されていない)を設置し、必要に応じて型枠内に配筋した後にコンクリートを流し込んで硬化させることで構築されている。また、図４に示されるように、基礎１と土中支持部２との間に覆土５を介在させることなく、基礎１を、土中支持部２の上面と連続した状態で構築することもできる。この連続状態とするとき、土中支持部２内の配筋を上方へ延出させておき、これが基礎１を構成するコンクリート内に包み込まれるようにすると、土中支持部２と一体性の高い基礎１を構築することができる。
【００２３】
次に、上記基礎構造の構築手順を説明する。
【００２４】
まず、図４に示されるように、基礎１の主要部の位置に沿って地盤を４掘り下げ、逆四角錐台形状の溝３を形成する。溝３は、土中支持部２の形状が、前記のように、上面が長方形で、下向きの傾斜面となった端面壁２ａと、垂直面となった側面壁２ｂとを有する形状である場合、上面を長方形とし、その短辺側の側壁である端面壁３ａが上向きの傾斜面、長辺側の側壁である側面壁３ｂが垂直面となった逆四角錐台形状とする。このような形状の溝２は、溝２上面の短辺の長さに対応する幅のバケットを取り付けたパワーショベルを用いて掘削することで、容易に形成することができる。つまり、溝３の幅はバケットの幅として規定されるので、バケットを左右にずらすことなく溝３の長さ方向に動かして掘削しつつ、両端面壁３ａを上向きの傾斜面とすることと、溝３の長さを調整するだけで容易に所要の溝３を掘削することができる。
【００２５】
土中支持部２の構築は、上記溝３にコンクリートを流し込んで硬化させることで行うことができる。コンクリートの流し込みに先立って、溝３内に配筋を施しておくと、より強固な土中支持部２を構築することができる。
【００２６】
また、土中支持部２の構築は、予めプレキャストコンクリート製品として形成したものを溝３内に設置することでも行うことができる。この場合、溝３の大きさ及び形状をできるだけプレキャストコンクリート製の土中支持部２の大きさと形状に一致させておくことが好ましい。また、土中支持部２と溝３との間に隙間を生じた場合、この隙間にコンクリートを流し込んだり土砂を充填して土中支持部２の設置状態を安定させることもできる。
【００２７】
上記のようにして土中支持部を設置した後は、図７に示されるように、覆土５を施してから基礎１を構築すれば、図２に示される基礎構造を得ることができる。また、覆土５を施さずに基礎１を構築すれば、図４に示される基礎構造を得ることができる。
【符号の説明】
【００２８】
１  基礎
２  土中支持部
２ａ  （土中支持部の）端面壁
２ｂ  （土中支持部の）側面壁
３  溝
３ａ  (溝の)端面壁
３ｂ  (溝の)側面壁
４  地盤
５  覆土
【図１】
2013213343.tif 000003
【図２】
2013213343.tif 000004
【図３】
2013213343.tif 000005
【図４】
2013213343.tif 000006
【図５】
2013213343.tif 000007
【図６】
2013213343.tif 000008
【図７】
2013213343.tif 000009